(57)【特許請求の範囲】
【請求項１】
複数のブロックと前記ブロックに戴置されるリングからなるベルトをプーリ間に巻いてなるベルトシステムを備えたＣＶＴのコンピュータ・シミュレータにおいて、
ａ．前記ベルトシステムの構成部品である前記ブロック、前記リング、および前記プーリをモデル化するブロックモデル、リングモデル、およびプーリモデルからなると共に、前記ブロックとリングに作用する力と、前記ブロックに対する位置関係に基づいて前記リングに作用する曲げ力とを少なくとも記述するマルチボディ・シミュレーション・モデルを用いてマルチボディ・シミュレーションを実行するマルチボディ・シミュレーション手段、
ｂ．前記マルチボディ・シミュレーションにおいて、伝達される速度比が目標速度比となるように、前記プーリモデルの推力を制御するコントローラ、
ｃ．前記コントローラによって制御されるときの前記プーリモデルの推力を少なくとも入力し、前記ベルトシステムの非線形部分を有限要素法によってモデル化する有限要素モデルに基づいて解析し、前記ベルトシステムの構成部品に作用する応力を予測する非線形有限要素解析手段、
および
ｄ．前記非線形有限要素解析手段によって予測された応力を入力して解析し、解析結果に基づいて前記構成部品の耐久性を予測する耐久性解析手段、
を備えたことを特徴とするＣＶＴのコンピュータ・シミュレータ。
【請求項２】
前記プーリの回転軸線に対する倒れが前記プーリモデルに剛性でモデル化されていることを特徴とする請求項１記載のＣＶＴのコンピュータ・シミュレータ。
【請求項３】
前記剛性が、前記プーリの面における前記ブロックの半径の関数で定義されていることを特徴とする請求項２記載のＣＶＴのコンピュータ・シミュレータ。
【請求項４】
さらに、
ｅ．前記マルチボディ・シミュレーションモデルに作用する力をベクトル表現を用いて視覚化する視覚化手段、
を備えたことを特徴とする請求項１から３のいずれかに記載のＣＶＴのコンピュータ・シミュレータ。
【発明の詳細な説明】
【技術分野】
【０００１】
この発明は、車両に搭載されるＣＶＴ（無段変速機）のコンピュータ・シミュレータに関し、より詳しくはそのＣＶＴのベルトシステムの挙動を解析して耐久性などを予測するコンピュータ・シミュレータに関する。
【背景技術】
【０００２】
ＣＶＴのベルトシステムを開発する設計プロセスは多くの設計工数を必要とすると共に、実際の試作品を必要とし、多大な時間と費用を要する。そのため、設計工数あるいは試作品の製作やテストを減少させるのに、シミュレーションが利用されている。
【０００３】
近年、マルチボディ・シミュレーション（Multi-body simulationあるいはＭＢＳ）が、機構解析のツールとして知られており、その一例として以下の特許文献１記載の技術を挙げることができる。その従来技術にあっては、ブロックは剛体としてモデル化され、リングは剛体ブロックと相互作用する状態方程式でモデル化されている。
【特許文献１】米国特許第６，５６８，２８０号
【発明の開示】
【発明が解決しようとする課題】
【０００４】
しかしながら、従来技術に係るシミュレーションは、ＣＶＴのベルトシステムにおけるリング張力が擬似静的な状態に達するまで繰り返し計算する手法を用いている。即ち、従来技術にあっては、ブロック、リングおよびプーリの荷重に対して真の動的バランスをとる過渡的なあるいは動的なシミュレーションは実行されていない不都合があった。従って、従来技術にあっては、ベルトシステムの耐久性を精度良く予測することが困難であった。
【０００５】
従って、この発明の目的は従来技術の上記した不都合を解消し、シミュレーションにおいて、ＣＶＴのベルトの実際のブロックとリング形状あるいは位置関係などからリングの曲げ力（荷重）などを算出してベルトシステムに作用する力（内部荷重）を精度良く算出し、よってベルトシステムの耐久性を精度良く予測するようにしたＣＶＴのコンピュータ・シミュレータを提供することにある。
【課題を解決するための手段】
【０００６】
上記した課題を解決するため、請求項１にあっては、複数のブロックと前記ブロックに戴置されるリングからなるベルトをプーリ間に巻いてなるベルトシステムを備えたＣＶＴのコンピュータ・シミュレータにおいて、前記ベルトシステムの構成部品である前記ブロック、前記リング、および前記プーリをモデル化するブロックモデル、リングモデル、およびプーリモデルからなると共に、前記ブロックとリングに作用する力と、前記ブロックに対する位置関係に基づいて前記リングに作用する曲げ力とを少なくとも記述するマルチボディ・シミュレーションモデルを用いてマルチボディ・シミュレーションを実行するマルチボディ・シミュレーション手段、前記マルチボディ・シミュレーションにおいて、伝達される速度比が目標速度比となるように、前記プーリモデルの推力を制御するコントローラ、前記コントローラによって制御されるときの前記プーリモデルの推力を少なくとも入力し、前記ベルトシステムの非線形部分を有限要素法によってモデル化する有限要素モデルに基づいて解析し、前記ベルトシステムの構成部品に作用する応力を予測する非線形有限要素解析手段、および前記非線形有限要素解析手段によって予測された応力を入力して解析し、解析結果に基づいて前記構成部品の耐久性を予測する耐久性解析手段を備える如く構成した。
【０００７】
請求項２に係るＣＶＴのコンピュータ・シミュレータにあっては、前記プーリの回転軸線に対する倒れが前記プーリモデルに剛性でモデル化されている如く構成した。
【０００８】
請求項３に係るＣＶＴのコンピュータ・シミュレータにあっては、前記剛性が、前記プーリの面における前記ブロックの半径の関数で定義されている如く構成した。
【０００９】
請求項４に係るＣＶＴのコンピュータ・シミュレータにあっては、さらに、前記マルチボディ・シミュレーションモデルに作用する力をベクトル表現を用いて視覚化する視覚化手段を備える如く構成した。
【発明の効果】
【００１０】
請求項１にあっては、ＣＶＴのベルトシステムの構成部品をモデル化するブロックモデルなどからなると共に、ブロックとリングに作用する力と、ブロックに対する位置関係に基づいてリングに作用する曲げ力とを少なくとも記述するマルチボディ・シミュレーションモデルを用いてマルチボディ・シミュレーションを実行すると共に、そのマルチボディ・シミュレーションにおいて、伝達される速度比が目標速度比となるように、プーリモデルの推力を制御するコントローラと、コントローラによって制御されるときのプーリモデルの推力を少なくとも入力し、有限要素モデルに基づいてベルトシステムを解析してベルトシステムの構成部品に作用する応力を予測し、予測された応力を入力して構成部品の耐久性を予測する如く構成したので、設計工数や試作品の物理テスト工数を減少できると共に、シミュレーションにおいて、ＣＶＴのベルトの実際のブロックとリング形状あるいは位置関係などからリングの曲げ力（荷重）などを算出してベルトシステムに作用する力（内部荷重）を正しく算出することができ、よってベルトシステムの耐久性などを精度良く予測することができる。
【００１１】
また、伝達される速度比が目標速度比となるようにプーリモデルの推力を制御するコントローラと、コントローラによって制御されるときのプーリモデルの推力を少なくとも入力し、有限要素モデルに基づいてベルトシステムを解析してベルトシステムの構成部品に作用する応力を予測すると共に、予測された応力を入力して構成部品の耐久性を予測する如く構成したので、ベルトシステムの動特性を一層良く把握できると共に、シミュレーションに使用されるマイクロコンピュータの演算量を低減させる、換言すれば、より低能力のマイクロコンピュータを用いてベルトシステムの耐久性を予測することができる。また、コントローラのプーリ推力をシミュレーション精度の尺度として用いることができる。
【００１２】
請求項２に係るＣＶＴのコンピュータ・シミュレータにあっては、プーリの回転軸線に対する倒れがプーリモデルに剛性でモデル化されている如く構成したので、上記した効果に加え、ベルトシステムの応答（リング張力、ブロック間接触荷重、などなど）に多大な影響を持つプーリ面の傾斜倒れをシミュレーションに反映させることができ、シミュレーションにおいてベルトシステムの応答（内部荷重）を精度良く算出することができ、耐久性などの予測精度を向上させることができる。
【００１３】
請求項３に係るＣＶＴのコンピュータ・シミュレータにあっては、剛性がプーリの面におけるブロックの半径の関数で定義されている如く構成したので、上記した効果に加え、プーリ面の傾斜倒れをシミュレーションに一層精度良く反映させることができ、シミュレーションにおいてベルトシステムの応答（内部荷重）を精度良く算出することができ、耐久性などの予測精度を向上させることができる。
【００１４】
請求項４に係るＣＶＴのコンピュータ・シミュレータにあっては、さらに、マルチボディ・シミュレーションモデルに作用する力をベクトル表現を用いて視覚化する視覚化手段を備える如く構成したので、上記した効果に加え、ベルトシステムにおける力（荷重）のバランスなどについて一層良く把握することができる。
【発明を実施するための最良の形態】
【００１５】
以下、添付図面に即してこの発明に係るＣＶＴのコンピュータ・シミュレータを実施するための最良の形態について説明する。
【実施例１】
【００１６】
図１は、この発明の第１実施例に係るＣＶＴのコンピュータ・シミュレータが適用されるＣＶＴ(無段変速機)を全体的に示す説明断面図である。
【００１７】
図１において符号１０はＣＶＴ（無段変速機）を示し、ＣＶＴ１０はベルト（押し式金属製Ｖ字状ベルト）１２を備える。ベルト１２はプーリ１４，１６に巻かれ、プーリ１４，１６は、ダンパ機構を備えたフライホイール２０を介して内燃機関のクランク軸（図示せず）に接続されるメインシャフト（ミッション入力軸）ＭＳと、メインシャフトＭＳと平行に配置されるカウンタシャフト（ミッション出力軸）ＣＳに固定される。
【００１８】
ベルト１２は、一群（複数）の、より詳しくは薄い金属プレートから製作されるＶ字状の４２８個のブロック２２と、同様に薄い金属プレートから製作される一群（複数）の、より詳しくは２列１２枚の金属バンドからなるリング２４から構成される。尚、ブロック２２は鉄材あるいは鋼材から製作され、リング２４のバンドはマルエージ鋼材から製作される。
【００１９】
図２は、図１に示すベルト１２を構成するブロック２２とリング２４を撮影して得た説明図であり、図３は図２に示すブロック２２の１つを模式的に示す説明図である。
【００２０】
図３に示す如く、ブロック２２は、その前面と背面に摩擦面２２ａを備えると共に、前面の楔状に形成される下部に設けられるロッキングエッジ２２ｂと、肩部の両側のサドル２２ｃと、Ｖ字状の頭部２２ｅの前面に形成されるノーズ２２ｄと、頭部２２ｅの背面に形成されてノーズ２２ｄを収容するディンプル（図示せず）とを備える。リング２４の２列のバンドは、肩部と頭部２２ｅの間の間隙２２ｆにおいてサドル２２ｃの上にそれぞれ戴置される。
【００２１】
図１の説明に戻ると、プーリ１４は、メインシャフトＭＳに固定されたプーリ半体１４ａと、作動油の油路１４ｃを介して供給される油圧によってメインシャフトＭＳに沿って移動自在なプーリ半体１４ｂからなる。同様に、プーリ１６は、カウンタシャフトＣＳに固定されたプーリ半体１６ａと、作動油の油路１６ｃを介して供給される油圧によってカウンタシャフトＣＳに沿って移動自在なプーリ半体１６ｂからなる。
【００２２】
カウンタシャフトＣＳはファイナル・ドライブ・ギア３０に接続され、ファイナル・ドライブ・ギア３０はファイナル・ドリブン・ギア３２に接続される。ファイナル・ドリブン・ギア３２は、ディファレンシャル３６を介し、車両の駆動輪（図示せず）に接続されるドライブシャフト３４に接続される。このようにＣＶＴ１０は車両に搭載され、ＣＶＴ１０の駆動力はベルト１２によって駆動プーリ１４から従動プーリ１６へと伝達され、よって内燃機関の駆動力は内燃機関からＣＶＴ１０を介して駆動輪へと伝達される。
【００２３】
ＣＶＴ１０は、車両に搭載されたとき、搭載シフトコントローラ（電子制御ユニット）によって制御され、車両の走行状態に応じて供給油圧が調整されて可動プーリ半体１４ｂ，１６ｂをメインシャフトＭＳとカウンタシャフトＣＳの軸方向に移動させることにより、プーリ１４，１６の面１４ｄ，１６ｄにおけるベルト１２の巻きつき半径が変化し、それに応じて伝達されるべき速度比が変速される。
【００２４】
図４は、図１に示すＣＶＴのコンピュータ・シミュレータの詳細な構成を示すと共に、ＣＶＴを開発する設計プロセスを全体的に示すブロック図である。
【００２５】
同図で符号４０はコンピュータ・シミュレータを示し、コンピュータ・シミュレータ４０は具体的には、ＣＰＵ，ＲＯＭ，ＲＡＭ、入力回路および出力回路など(全て図示せず)を有するマイクロコンピュータからなる。コンピュータ・シミュレータ４０は、キーボード、マウスなどの入力装置４２と、ディスプレイ（ＣＲＴ）４４と、プリンタなどの出力装置４６を備える。
【００２６】
図４はコンピュータ・シミュレータ４０の構成を機能的に示すが、後述する如く、コンピュータ・シミュレータ４０は機構解析技術の一種であるマルチボディ・シミュレーション（以下「ＭＢＳ」という）を実行し、ＣＶＴ１０のベルト１２の動特性を算出し、ベルト１２の耐久性を解析して予測する。
【００２７】
以下説明すると、コンピュータ・シミュレータ４０は、構成部品ＦＥ解析ユニット４０ａと、システム・マルチボディ・シミュレーションユニット４０ｂ（以下「システムＭＢＳユニット４０ｂ」という）と、システム非線形ＦＥ解析ユニット４０ｃと、耐久性解析ユニット４０ｄとを備える。
【００２８】
さらに、コンピュータ・シミュレータ４０は、製品設計ユニット５０と、試作品物理テストユニット５２とに接続される。尚、製品設計ユニット５０と、試作品物理テストユニット５２はそれぞれコンピュータ・シミュレータ４０と別体のデータベース（あるいはハードディスク）からなり、コンピュータ・シミュレータ４０とはインターネットなどの通信回線を利用して接続されてデータを入出力する。
【００２９】
尚、製品設計ユニット５０は公知なものであり、設計データ５０ａに基づき、構成部品、即ち、ＣＶＴ１０、より正確にはベルトシステムの構成部品（プーリ１４，１６、ブロック２２、リング２４）の形状や材質を決定して格納ユニット５０ｂに格納すると共に、それら構成部品を統合したベルトシステム（系）の動作データを決定して格納ユニット５０ｃに格納する。製品設計ユニット５０は、ベルトシステムあるいは構成部品の評価データが格納される評価ユニット５０ｄを備える。
【００３０】
試作品物理テストユニット５２も公知なものであり、格納ユニット５０ｂに格納されるデータを入力し、物理的なテストを通じて構成部品について周波数、応力などの検証データを出力する構成部品物理テストユニット５２ａと、格納ユニット５０ｃに格納されるデータを入力し、同様に物理的なテストを通じてシステムについて構造、荷重などの動作検証データを出力するシステム物理テストユニット５２ｂとからなる。
【００３１】
構成部品ＦＥ解析ユニット４０ａは格納ユニット５０ｂに格納されるデータと構成部品物理テストユニット５２ａの出力を入力し、上記した構成部品について有限要素法（Finite Element Method）による有限要素（ＦＥ）モデルを用いた解析（有限要素モデルによる解析）を通じて構成部品のそれぞれの剛性を解析して出力する。即ち、構成部品ＦＥ解析ユニットは、テストデータを構成部品それぞれの有限要素（ＦＥ）モデル（有限要素法によって得られるモデル）と関係づけるのに用い、関係づけた有限要素モデルを、当該構成部品の形状に応じて微修正する。
【００３２】
システムＭＢＳユニット４０ｂは、格納ユニット５０ｃに格納されているデータと、構成部品ＦＥ解析ユニット４０ａとシステム物理テストユニット５２ｂの出力を入力し、ベルトシステムについてマルチボディ・シミュレーションモデル（以下［ＭＢＳモデル」という。後述）を用いてＭＢＳ（Multi-Body Simulation；マルチボディ・シミュレーション。機構解析の手法の１つ）を実行し、シミュレーション結果をシステムと構成部品の性能（力（荷重）、モーメント（トルク）、速度など）として解析（予測）して製品設計ユニット５０の評価ユニット５０ｄに出力する。また、コントローラ（後述）によって得られた定常状態の特性（推力（プーリ推力）、モーメント（トルク）、速度比）をシステム非線形ＦＥ解析ユニット４０ｃに出力する。
【００３３】
尚、システムＭＢＳユニット４０ｂにおいて、シミュレーション（ＭＢＳ）で得られたシステムと構成部品の性能（力（荷重）、モーメント（トルク）、速度など）は、システム物理テストユニット５２ｂで測定された値と比較される。また、定常状態のプーリ推力は、ＭＢＳの精度を示すインジケータとして作用する。
【００３４】
システム非線形ＦＥ解析ユニット４０ｃはシステムＭＢＳユニット４０ｂの出力を入力し、ベルトシステムの非線形部分を有限要素法によってモデル化して得た有限要素モデルに基づいて解析し、解析して得られた、構成部品の動作環境および性能（構成部品に作用する応力）を製品設計ユニット５０の評価ユニット５０ｄに出力すると共に、構成部品に作用する応力を耐久性解析ユニット４０ｄに出力する。
【００３５】
即ち、システムＭＢＳユニット４０ｂにおけるＭＢＳモデルを用いて検証された定常状態での特性は、ベルトシステムの非線形有限要素モデルの入力荷重として用いられ、非線形有限要素モデルを用いて時間領域の応力（例えば、ベルト１２の１回転にわたる応力）を解析あるいは予測する。
【００３６】
尚、一般に、荷重やトルクなどは非線形有限要素解析から算出されるが、その算出に使用されるマイクロコンピュータの能力に比し、格段に低能力のマイクロコンピュータでＭＢＳを実行できることから、この実施例においては、ＭＢＳで得られた定常状態の特性を非線型有限要素解析に使用するようにした。これにより、コンピュータ・シミュレータ４０は低能力で足ると共に、非線形有限要素解析で必要となるセッティング時間が不要となる。
【００３７】
耐久性解析ユニット４０ｄはシステム非線形ＦＥ解析ユニット４０ｃの出力を入力し、解析結果に基づいて構成部品の耐久性（有効寿命）解析あるいは予測して製品設計ユニット５０の評価ユニット５０ｄに出力する。
【００３８】
このように、コンピュータ・シミュレータ４０はベルトシステムの動特性を解析し、ベルトシステム（ベルト１２）の耐久性と、ベルト１２を構成するプーリ１４，１６、ブロック２２、リング２４のそれぞれについての耐久性を予測（検証）する。予測結果は、製品設計ユニット５０の評価ユニット５０ｄに格納される。
【００３９】
この実施例に係るＣＶＴのコンピュータ・シミュレータ４０にあっては、上記した通り、有限要素解析で解析（予測）される応力が得られることで、有効なベルトの耐久性（有効寿命）の予測が可能となる。また、ベルトシステム全体のシミュレーションが有効になったことから、新たに設計されるベルト１２が運転要求条件を満たすか、耐久性はどうかなどについての予測精度が向上する。尚、依然としてある程度の物理テストは確認のため必要であるが、試作品の物理テストのみで検証するのに比べれば、時間や出費を格段に減少できることはいうまでもない。
【００４０】
図５は、図４に示すコンピュータ・シミュレータ４０の中のシステムＭＢＳユニット４０ｂで使用される、ベルトシステムのＭＢＳモデルを示す説明図である。
【００４１】
図６は、システムＭＢＳユニット４０ｂの構成を、図５に示すＭＢＳモデルを構成する個々のモデルの相互関係を含めて示すブロック図である。尚、図６は、モデルのある要素（ユニット）から別の要素に流れるデータによって、システムＭＢＳユニット４０ｂで実行されるシミュレーション（ＭＢＳ）の内容を示す。
【００４２】
図示の如く、ＭＢＳモデルは、ベルトモデル４０ｂ１と、プーリモデル４０ｂ２と、ブロック・プーリ・インターフェース４０ｂ３を備える。
【００４３】
ベルトモデル４０ｂ１において、ブロックユニット４０ｂ１１はブロック２２の物理的な構成を、リングユニット４０ｂ１２はリング２４の物理的な構成を示す。同様に、プーリモデル４０ｂ２において、プーリ面ユニット４０ｂ２１は、駆動プーリ１４と従動プーリ１６の面１４ｄ，１６ｄの、シャフトユニット４０ｂ２２はシャフト（メインシャフトＭＳとカウンタシャフトＣＳ）の物理的な構成を示す。
【００４４】
また、ベルトモデル４０ｂ１，プーリモデル４０ｂ２およびブロック・プーリ・インターフェース４０ｂ３において、算出ユニット４０ｂ１３，４０ｂ１４，４０ｂ２３，４０ｂ３１，４０ｂ３２，４０ｂ３３は、従来技術で使用されたのと同様の、荷重や拘束条件を算出する。
【００４５】
図示のコンピュータ・シミュレータ４０の中のシステムＭＢＳユニット４０ｂの特徴点の１つは、ベルトモデル４０ｂ１に追加されたリング曲げ力／モーメント算出ユニット４０ｂ１５と、プーリモデル４０ｂ２に追加された（前述の）推力コントローラ４０ｂ２４とプーリ倒れ剛性算出ユニット４０ｂ２５と、およびブロック・プーリ・インターフェース４０ｂ３に追加された合力ベクトル算出ユニット４０ｂ３４にある。
【００４６】
図６の説明を続ける前に、ここで本願の課題について再説すると、冒頭で述べた如く、近年、機構解析のツールとして、ＭＢＳが知られており、例えば、従来技術（特許文献１）に述べられているが、その従来技術にあってはブロック２２やリング２４、プーリ１４，１６の荷重に対して真の動的バランスをとる過渡的なあるいは動的なシミュレーションを実行していないと共に、リング曲げ力（荷重）やモーメント（トルク）を算出する際に実際のブロック２２およびリング２４の形状あるいは位置関係を利用していない不都合があった。
【００４７】
また、シミュレーションにおいて、ベルトシステムの速度比を目標速度比に維持する、換言すれば定常状態を実現し、そのときの特性（プーリ推力など）を求めることも行われていなかった。従って、従来技術はベルトシステムの耐久性を精度良く予測（解析）できない不都合があった。
【００４８】
従って、この実施例にあっては、かかる従来技術の不都合を解消するべく、ＣＶＴのコンピュータ・シミュレータ４０の中のシステムＭＢＳユニット４０ｂを上記のように改良するようにした。
【００４９】
即ち、正確なシミュレーションを構築するには、ＣＶＴ１０のベルトシステムに生じる力（内部荷重）を正しく算出する必要があると共に、目標速度比が維持されるように、プーリ推力を与える必要がある。そこで、この実施例においては、ベルトモデルユニット４０ｂ１のリング曲げ力／モーメント算出ユニット４０ｂ１５において、実際のブロック２２とリング２４の形状や位置関係を、ブロック２２に巻きつくリング２４の曲げ特性を一層正確に表現するのに使用するようにした。
【００５０】
リング曲げ力／モーメント算出ユニット４０ｂ１５は、具体的には、リング２４とブロック２２間の間隙２２ｆをモニタ（算出）し、曲げ力やモーメントを実際のリング−ブロックエッジ間接触に基づいて調整し、よってベルトシステムに生じる力（内部荷重）を精度良く算出する。
【００５１】
また、プーリモデル４０ｂ２においては、推力コントローラ４０ｂ２４を導入し、プーリ推力を介してベルトシステムの速度比を目標速度比に制御するようにした。目標速度比と算出される速度比の誤差を示す誤差信号（誤差信号とその積分値）に応じてプーリモデルへの供給油圧が調整され、プーリ推力（荷重）が制御される。この誤差信号が最小化されるとき、プーリ推力はシミュレーション精度の尺度となる。
【００５２】
また、プーリモデル４０ｂ２にあっては、プーリ倒れ剛性算出ユニット４０ｂ２５を設け、プーリ面のシャフト（メインシャフトＭＳとカウンタシャフトＣＳ）への傾斜を示す、プーリ１４，１６、より正確にはプーリモデルの倒れ剛性関数を導入するようにした。図１に示すＣＶＴ１０にあっては、この剛性関数の値はベルト１２のプーリ１４，１６の面１４ｄ、１６ｄにおける巻きつき半径が減少するにつれて増加する一方、巻きつき半径が増加するにつれて減少するように設定される。
【００５３】
このプーリ面の傾斜（倒れ）は、シミュレーション（ＭＢＳ）においてベルトシステムの応答、即ち、リング張力、ブロック間接触荷重などに大きく影響することから、この剛性の巻きつき半径による変化をシミュレーションに考慮することで、ブロック２２やリング２４、プーリ１４，１６の荷重に対して真の動的バランスをとる過渡的なあるいは動的なシミュレーションを実行することができ、リングのプーリ面に対するベルト力（荷重）伝達の算出精度を改善することができる。それをシミュレーションに勘案することにより、ベルトシステムの動特性を一層精度良く解析することができる。
【００５４】
さらに、ブロック・プーリ・インターフェース４０ｂ３に合力ベクトル算出ユニット４０ｂ３４を追加したことで、ブロックモデルやプーリモデルに作用する様々な荷重はディスプレイ４４を介して視覚化され、よって解析者（ユーザ）が、ベルトシステムの荷重バランスを把握することができる。
【００５５】
上記した構成により、シミュレーション（ＭＢＳ）においてベルトシステムに生じる力（内力荷重）を正確に算出してプーリ面に正確に加えることができ、プーリモデルはそのベルト力（荷重）に正確に抵抗できるようにモデル化でき、シミュレーション（ＭＢＳ）精度や機構の内部作用に対する一層深い洞察が可能となる。
【００５６】
以下、上記についてさらに詳細に敷衍する。
【００５７】
モデリング
モデルの物理的な構成を示すリングユニット４０ｂ１２などは、対応するモデルの物理的な自由度を表わす。構成部品のそれぞれは、例えばシャフト（メインシャフトＭＳとカウンタシャフトＣＳ）もしくはブロック２２は、ＭＢＳモデルでは剛体として表わされる。剛体は、空間を３つの並進方向と３つの回転方向自由度（Degree of Freedom）に動くことができる。剛体であるので、その部品のどの個所も自己に対して並進および回転はできない。
【００５８】
剛体に加え、ベルトモデルは、リングユニット４０ｂ１２に示すように、ベルト１２のリング２４の自由度も含む。リング２４は６自由度の剛体としてはモデル化されない。即ち、リング２４は主としてブロック２２と共に動くと想定され、ブロック２２に対して接線方向に１自由度だけ持つようにモデル化される。即ち、リング２４は、ブロック２２のサドル２２ｃの面に対してベルト１２の回転方向に相対的な滑りのみが許されるようにモデル化される。リング２４の１つのセグメント（成分。小切片）は、ブロックモデルの１つのブロックと関連づけられる。
【００５９】
算出ユニット４０ｂ１３などで荷重や拘束条件を示したが、ＭＢＳモデルでは剛体同士の関係は、荷重要素（荷重要素は与えられた方向に動き始めようとしたり、抵抗しようとしたりする）や運動学ジョイント（与えられた方向の運動を妨げる）によって定義される。例えば、運動学ジョイントや荷重要素はシャフトモデルとプーリ面モデルを接続するのに用いられる。
【００６０】
運動学ジョイントは全ての相対変位と２つの剛体間の接続点で１つの相対回転（軸回転）を妨げるユニバーサルタイプからなり、２つの相対回転（２つの直交軸での傾斜）を許容するようにモデル化される。運動学ジョイントは、上記したプーリの倒れ剛性による荷重の改良による抵抗値となる。
【００６１】
実機において、ベルト１２のブロック２２がプーリ面に接すると、接触荷重（プーリ面に垂直方向）と摩擦力（面に接する方向）が生じる。この力は接触面の干渉や相対速度の程度に応じて生じる。シミュレーション結果を解析する便宜上、摩擦力はさらに接線方向（伝達方向）成分と半径方向成分に分解される。これらの荷重は、作用反作用の荷重としてブロックモデルとプーリ面モデルに与えられる。同様の算出がそれぞれのブロックモデルとプーリ面モデルについて実行される。
【００６２】
算出ユニット４０ｂ３１，４０ｂ３２，４０ｂ３３で算出される荷重が、ブロックモデルとリングモデルの間の関係を定義する。尚、それらの荷重のいくつか（リング張力、ブロックのサドル面合力、ブロックとリング間の摩擦力）は、従来技術（特許文献１）のシミュレーションにも導入されている。リング張力と２つのブロックのなす角度により、ブロックサドル面の法線（半径方向）荷重が生じる。リングモデルはブロックサドル面に対して相対的なすべりが許容されているので、摩擦力は接線方向に生じる。
【００６３】
リング曲げ力／モーメント算出ユニット４０ｂ１５は、ブロックモデルに付加的な荷重を生じさせる。推力コントローラ４０ｂ２４は、プーリ面を押してベルトを挟持する荷重を生じさせ、それによってプーリモデルとベルトの間に摩擦力を生じさせる。プーリ倒れ剛性は、実機の材質にも依存するが、プーリ面モデルが微小角度、回転軸方向に傾斜するのを許容する。
【００６４】
合力ベクトル算出ユニット４０ｂ３４の追加は、ブロックモデルプーリ面モデル間に作用する荷重成分を視覚化する合力ベクトルの算出（プロット）を可能とする。
【００６５】
図６において、前記したようにデータの種類を特定するラベルを付して相互の関連を示すが、図６では次の変数が用いられる。
【００６６】
P，V          剛体（並進及び、回転を含む）の位置と速度ベクトル
pi，Vi        １つのブロックの位置と速度ベクトル（ブロックの数だけ繰り返す）
Φi           １のブロックのなす角度（ブロックの数だけ繰り返す）
xi，dxi/dt    リングセグメント（成分）の円周方向位置と速度（各成分で繰り返す）
ωdr，ωdn    駆動プーリと従動プーリの角速度
Itarget       目標速度比
Tc            曲げトルクベクトル
Qdr，Qdn      駆動プーリと従動プーリの推力
Fni，Fti，Fri ブロックとプーリ間接触荷重の法線、接線、及び、半径方向成分
Pi，Mi        リング曲げ荷重とモーメント
Fsi           リング張力によるサドル面の法線方向荷重
Ffi           リング張力によるサドル面の摩擦力
Ti            リング成分の張力
ΣFni，ΣFti，Σfri    ブロックとプーリ間接触荷重の法線、円周、半径方向成分の和
【００６７】
リング曲げ力／モーメント
実機のベルト１２において、リング２４とブロック２２には、数多くの荷重が存在する。それらの中には、隣接するブロック２２のミスアライメントによってはりの曲げ荷重と同様の荷重が生成される恐れがある。ミスアライメントが大きければ、リング２４はブロック２２の間隙２２ｆの端部で拘束されることになる。
【００６８】
図７に、２つのブロック２２の間のミスアライメントを概念的に示す。２つのブロック（iとi+1）は両端の２個の四角部分で示される。同図で中央の四角部分はリング２４が挟持される間隙２２ｆを表わす。片方のブロック（i）を参照ブロックとして選び、参照点をそれぞれのブロックに選んだ。２つ目のブロック（i+1）の位置と方向は、参照ブロックの参照点に関して算出される。
【００６９】
２つ目のブロックの位置は長さ（L）、半径方向変位（y）だけ離れており、相対的な方向角度は（y’）として算出される。リング２４の物理特性（断面積、ヤング率）を既知とすれば、それらの値に基づき、せん断荷重やモーメントは古典的なはりの理論から逆算することができる。
【００７０】
しかしながら、ある程度の変位や傾きは、曲げ荷重が伝達される前に許容されるべきである。なぜならば、ベルト１２は、意図的にリング２４とブロック２２の間に間隙２２ｆを設けているからである。図８に包絡線を示すが、包絡線は、yおよびy’の関数として定義される。包絡線の内側では、曲げ荷重はブロック２２に伝達されない。
【００７１】
このように、包絡線の境界は、リング２４とブロック２２の形状（幾何学形状）とブロック間距離（L）の関数となる。包絡線は多くの分岐点もしくは頂点をもち、そのそれぞれはあるブロックから隣り合うブロックの関係で特別な位置／方向に対応する。図８において符号で示された分岐点はそれぞれの分岐点で特別な位置関係をもち、それらは図９に概念的に示される。
【００７２】
図９において、符号（図８に使用したものに対応）は、リング２４とブロック２２の間隙２２ｆを角度Φrefで定義しており、それは数１のように算出される。
【００７３】
【数１】
0004700373.tif 000002
【００７４】
数１において、trはリング２４の厚みの合計値を、tbはブロック２２の厚みを、hgは間隙２２ｆの高さを示す。
【００７５】
図７のそれぞれにおいて、距離yrefが定義されており、それは２つのブロック中心間の垂直距離になる。
yref = L tanΦref
【００７６】
また、以下の変位値y2が、奇数番号の符合の図で用いられる。
y2 = (hg- tr)/(2cosΦref)
【００７７】
上記した値を用いると、各分岐点でのブロックの相対変位や方向は次のようになる。
分岐点番号＃      Δy               ΔΦ
1           +yref             0
2           +yref+ y2         +Φref
3           +yref             +2Φref
4           -yref+ y2         +Φref
5           -yref             0
6           -yref- y2         -Φref
7           -yref             -2Φref
8           +yref-y2          -Φref
【００７８】
あるブロック形状に対して分岐点が算出されると、変位と傾きは２つのブロックに対して算出でき、未調整の点（y0,y’0）が包絡線にプロットされる。そのベクトルは、原点からその点まで引かれる（y0,y’0）。ベクトルと包絡線の交差する点を算出すれば、包絡線の内側のあるベクトル部分を捨てることができる。残りのベクトル、即ち、外側のベクトル（yact,y’act）が、ブロック−リング間のリング曲げ荷重（力とモーメント）を算出するのに用いられる。
【００７９】
調整されたたわみや傾斜が算出されると、古典的なはりの曲げ方程式により、その荷重やモーメントを算出することができる。リング２４のセグメント（成分）の両端に等しい反対方向の荷重が発生し、反対方向に作用するモーメントも与えられると仮定すれば、傾斜とたわみは数２の方程式から算出することができる。
【００８０】
【数２】
0004700373.tif 000003
【００８１】
数２で、Poはi点での荷重であり、Moはモーメントである。Eはリング２４の素材のヤング率、Iはリングの断面曲げモーメントの総和である。これらの方程式からPoとMoは、i+1点での荷重やモーメント（PLとMo）として数３のように逆算することができる。
【００８２】
【数３】
0004700373.tif 000004
【００８３】
これらの算出された荷重やモーメントは、ブロック法線荷重やモーメントに追加される。また、これらの荷重は、残りの構成部品（例えば、プーリ面やシャフト）に伝達される。
【００８４】
推力コントローラ
実機のベルト１２では、推力は入出力の両プーリ１４，１６に与えられ、プーリ面とブロック端部間に摩擦力を発生させる。これらの推力は目標速度比を維持したり、必要なレベルのトルク出力を発生させるため、ＣＶＴ１０が車両に搭載されるとき、前記した車載シフトコントローラによって制御される。
【００８５】
図６に示す構成にあっては、単純化されたコントローラ（推力コントローラ４０ｂ２４）が、目標速度比を維持（換言すれば定常状態を維持）するためにシミュレーション（ＭＢＳ）の中では用いられる。
【００８６】
図１０は、推力コントローラ４０ｂ２４の動作を示すブロック図である。
【００８７】
シミュレーションは適宜な推力（初期値）が駆動プーリモデルと従動プーリモデルに与えられる時点から開始される。目標速度比（Itarget）は、シミュレーションの入力条件である。入力された目標速度比と、算出された駆動プーリモデルと従動プーリモデルの角速度（wdr，wdn）に基づき、速度比偏差（無次元）を示す誤差信号（Err）は数４のように算出される。
【００８８】
【数４】
0004700373.tif 000005
【００８９】
図１０において、制御ユニット４０ｂ２４１は公知の比例積分（PI）コントローラからなる。誤差信号（Err）はゲイン（アンプA1の中のK1）で増幅され、第１の制御推力（Qerr1）となる。誤差信号（Err）はまた（積分器I1で）積分され、積分値はゲイン（アンプA2の中のK2）で増幅されて第２の制御推力（Qerr2）となる。第１、第２の制御推力は加算（Su1）され、合算制御推力（Qerr-tot）が算出される。
【００９０】
図示の構成において、公知のPIコントローラを変形し、シミュレーションにおいて算出される速度比が目標速度比に収束するようにした。即ち、２つの上下限（Qerr-minとQerr-max）を定義し、制御推力に過度にオーバーシュートあるいはアンダーシュートが生じるのを防止した。これは、制御推力（プーリ荷重）の過不足が制御の発散を招く恐れがあるからである。
【００９１】
合算制御推力はリミッタ関数（L1）に供給され、そこで以下の範囲に制限される。
Qerr-min<Qerr-lim<Qerr-max
【００９２】
合算制御推力はスイッチング関数（Sw1）にも供給され、そこでリミッタの外側では出力はゼロにされる。誤差信号（Err）は積分器（I1）に入る前、スイッチ値（M1）で乗算され、よって制御推力が制限されているときに積分誤差が増長するのが防止される。
【００９３】
さらに、時間スイッチ（Sw2）も導入され、シミュレーションの初期に制御推力が過渡変化に対し過剰な応答を示すのを防止する。ランプ時間（ｔswitch）が定義され、その間に制御推力はゼロから増加して目標値（Qerr-lim）に到達するように構成される。時間スイッチ（Sw2）から出力される制御推力はスイッチ値（M2）を乗じられ、最終制御推力（Qerr）となる（決定される）。
【００９４】
尚、図１０の構成において、全ての制御パラメータ（K1, K2, Qerr-min, Qerr-max, ｔswitch）は、解析者（ユーザ）が定義可能である。
【００９５】
このようにして制御推力が算出されると、それから算出されるプーリ推力値が駆動プーリモデルと従動プーリモデルのいずれかに与えられる。制御パラメータの符号を変えるだけで、推力コントローラは駆動プーリモデルと従動プーリモデルのどちらにも適用できる。
【００９６】
制御推力は、前記した試作品物理テストユニット５２で得られた実機で使用された推力と比較され、シミュレーション（ＭＢＳ）精度を示す尺度として機能する。実機で使用された値と推力コントローラで算出される制御推力との差が小さいほど、試作品に対する物理的なテストとシミュレーションの相関性が高い、換言すれば、コンピュータ・シミュレータ４０によるシミュレーションが試作品（実機）でのテストによって得られるのと同様の結果を得たことを示す。
【００９７】
尚、ここで留意されるべきことは、推力コントローラ４０ｂ２４はいくつかの特徴を前記した、実際の車載シフトコントローラと共有するかもしれないが、実際の車載シフトコントローラをシミュレートするものではない点である。推力コントローラ４０ｂ２４の目的はあくまでも、シミュレーションにおいて目標速度比を維持して定常状態を実現することにある。
【００９８】
プーリ倒れ剛性
上記したシミュレーションにおいては、構成部品のそれぞれは、リング２４を除き、剛体として表される。実際のプーリ１４，１６は高い剛性を有するが、完全に剛体というわけではない。事実、プーリ１４，１６のたわみ性により、プーリ面上のベルト力（荷重）は分布する。従って、プーリ１４，１６を剛体として扱うと、プーリ面に集中荷重が現れることから、現実的ではない。
【００９９】
その意味で、プーリ面は、本来、有限要素法（ＦＥＭ）モデルを用いて弾性体として扱うべきである。しかしながら、そのように構成すると、演算時間が膨大となる。他方、プーリ倒れの主たる影響は、有限要素法モデルを用いなくても、算出することができる。
【０１００】
即ち、この実施例においては、ユニバーサルジョイントをプーリ面モデルとその支持シャフトモデル間に挿入し、そのユニバーサルジョイントによる拘束が接合点での相対的並進運動を妨げるようにした。このユニバーサルジョイントは、球面もしくはボールジョイントに非常に類似するものである。
【０１０１】
この実施例においては、さらに、シャフトを介してプーリ面にトルクが伝わることを許容するようにモデル化した。図１１に示す如く、ユニバーサルジョイントは、プーリ面の２つの直交方向に対して回転を許容すると共に、それらの２自由度はプーリ軸がシャフトのアライメントから任意の方向に傾くことを許容する。
【０１０２】
さらに、プーリたわみ剛性算出ユニット４０ｂ２５をプーリ面モデルとそれを支持するシャフトモデル間を挿入し、プーリ回転軸まわりに垂直な軸に対してプーリ面が傾くのを許容するようした（図１１に「Kconical」で示す）。この結果、プーリ面は非対称なベルト荷重に応答して傾斜することができる。他方、プーリ面とシャフトは剛体のままとして扱うことから、このモデリング手法は演算効率を犠牲にすることなく、シミュレーション精度を上げることができる。
【０１０３】
図１２は、図９に示すプーリの倒れ剛性の算出を示すブロック図である。
【０１０４】
図示の如く、コンピュータ・シミュレータ４０が実行するシミュレーションの中では、幾つかのセンサと関数を、シャフトとプーリ面間に働く倒れ（たわみ）抵抗トルクを算出するのに用いる。尚、その幾つかのセンサは実際の検出器ではなく、演算で検出値を求めるものである。
【０１０５】
尚、倒れ剛性の値は一定値ではなく、プーリ面に接触するベルトの半径位置（Rbelt）によって変化する。片持ちはりの剛性にあっては荷重点が支持点に近づくほど増加するのと同様に、プーリ倒れ剛性はベルト巻きつき半径が減少するほど増加する。しかしながら、プーリは複雑に加工された部品であるため、この半径に対する剛性の関係は単純ではない。
【０１０６】
コンピュータ・シミュレータ４０が実行するシミュレーションでは、ベルトの巻きつき半径は各算出ステップでブロックの位置を基準に検知される。この巻きつき半径はプーリ倒れ剛性（Kconical）を算出するのに用いられ、解析者（ユーザ）によって非線形カーブ（f(x)）として定義される。その剛性（Kconical）にシャフトとプーリ面間で測定（算出）されたたわみ角度（qconical）が乗算され、その積はブッシュ要素（弾性要素）に用いられ、プーリ面の傾きに抵抗するモーメント荷重（Tconical）を与える。
【０１０７】
プーリ倒れ剛性の影響は、合力ベクトル算出ユニット４０ｂ３４によってディスプレイ４４を介して表示される。合力ベクトル算出ユニット４０ｂ３４は、それぞれのプーリで合力ベクトルを算出する。プーリに接するそれぞれのブロックは、プーリ面に垂直な荷重を及ぼす。同様に、摩擦力は、半径方向成分と接線方向成分がプーリ面に作用する。垂直荷重を例にとると、合力ベクトルはプーリ面に接する全てのブロックの垂直荷重を合算したものである。
【０１０８】
合力ベクトル算出ユニット４０ｂ３４は、半径方向摩擦力と接線方向摩擦力についても合力ベクトルを算出する。それらの合力ベクトルの総和は、２つのプーリ間に作用する軸間力に等しくなる。駆動と従動の合力ベクトルによって生み出されるトルクは、駆動プーリと従動プーリの間のトルク差に合致する。
【０１０９】
図１３から図１６は、プーリとブロックに作用する様々な荷重の合力ベクトルを示すグラフ図である。
【０１１０】
具体的には、図１３と図１４は低速度比での合力ベクトルを、図１５と図１６は高速度比での合力ベクトルを表すグラフ図である。尚、図１３から図１６において、駆動プーリは左側、従動プーリは右側である。
【０１１１】
図１３から図１６において、実線はブロック−プーリ間法線荷重の合力ベクトルを、破線は接線方向摩擦力の合力ベクトルを、１点鎖線は半径方向摩擦力の合力ベクトルを、２点鎖線はそれら３つの成分の総和を表す。２点鎖線で示すベクトルが軸間力ベクトルとなる。
【０１１２】
図１３と図１５は、プーリ倒れ剛性を考慮しない、例えばプーリ面はシャフトに剛に接続されるとしたときのシミュレーション結果を示す。図示の例では、半径方向摩擦力の合力ベクトルはほとんど存在しない。剛体プーリはブロックのウェッジインやウェッジアウトの挙動を許容しないことから、それは期待された通りの結果である。
【０１１３】
他方、図１４と図１６は、プーリ倒れ剛性を含めてシミュレーションを行った結果を示す。この場合、半径方向摩擦力はかなり大きくなり、図１３と図１５での剛体のケースと比較すると、軸間力ベクトルの大きさに影響を及ぼしている。
【０１１４】
上記した如く、この実施例にあっては、複数のブロック２２と前記ブロックに戴置される、より具体的には形成されたサドル２２ｃ上に戴置されるリング２４からなるベルト１２をプーリ１４，１６間に巻いてなるベルトシステムを備えたＣＶＴ１０のコンピュータ・シミュレータ４０において、前記ベルトシステムの構成部品である前記ブロック２２、前記リング２４、および前記プーリ１４，１６をモデル化するブロックモデル４０ｂ１１、リングモデル４０ｂ１２、およびプーリモデル４０ｂ２１，４０ｂ２２からなると共に、前記ブロック２２とリング２４に作用する力と、前記ブロックに対する位置関係、より具体的には前記サドル２２ｆ上に戴置されるときの間隙２２ｆに基づいて前記リング２４に作用する曲げ力とを少なくとも記述するマルチボディ・シミュレーション（ＭＢＳ）モデルを用いてマルチボディ・シミュレーション（ＭＢＳ）を実行するマルチボディ・シミュレーション手段（システム・マルチボディ・シミュレーション（ＭＢＳ）ユニット４０ｂ）、前記マルチボディ・シミュレーションにおいて、伝達される速度比が目標速度比となるように、前記プーリモデルの推力を制御するコントローラ（推力コントローラ４０ｂ２４）、前記コントローラによって制御されるときの前記プーリモデルの推力を少なくとも入力し、前記ベルトシステムの非線形部分を有限要素法によってモデル化する有限要素（ＦＥ）モデルに基づいて解析し、前記ベルトシステムの構成部品に作用する応力を予測する非線形有限要素解析手段（システム非線形ＦＥ解析ユニット４０ｂ３）、および前記非線形有限要素解析手段によって予測された応力を入力して解析し、解析結果に基づいて前記構成部品の耐久性を予測する耐久性解析手段（耐久性解析ユニット４０ｂ４）を備える如く構成した。
【０１１５】
即ち、ＣＶＴ１０のベルトシステムの構成部品であるなどをモデル化するブロックモデルなどからなると共に、ブロック２２とリング２４に作用する力と、サドル２２ｃ上に戴置されるときの間隙２２ｆに基づいてリング２４に作用する曲げ力とを少なくとも記述するマルチボディ・シミュレーション（ＭＢＳ）モデルを用いてマルチボディ・シミュレーション（ＭＢＳ）を実行すると共に、そのマルチボディ・シミュレーションにおいて、伝達される速度比が目標速度比となるように、プーリモデルの推力を制御する推力コントローラ４０ｂ２４と、推力コントローラ４０ｂ２４によって制御されるときのプーリモデルの推力を少なくとも入力し、有限要素モデルに基づいてベルトシステムを解析してベルトシステムの構成部品に作用する応力を予測し、予測された応力を入力して構成部品の耐久性を予測する如く構成したので、設計工数や試作品の物理テスト工数を減少できると共に、シミュレーションにおいて、ＣＶＴ１０のベルト１２の実際のブロック２２とリング２４の形状あるいは位置関係などからリング２４の曲げ力（荷重）などを算出してベルトシステムに作用する力（内部荷重）を正しく算出することができ、よってベルトシステムの耐久性などを精度良く予測することができる。
【０１１６】
また、伝達される速度比が目標速度比となるようにプーリモデルの推力を制御する推力コントローラ４０ｂ２４と、推力コントローラ４０ｂ２４によって制御されるときのプーリモデルの推力を少なくとも入力し、有限要素モデルに基づいてベルトシステムを解析してベルトシステムの構成部品に作用する応力を予測すると共に、予測された応力を入力して構成部品の耐久性を予測する如く構成したので、ベルトシステムの動特性を一層良く把握できると共に、シミュレーションに使用されるマイクロコンピュータ（コンピュータ・シミュレータ４０）の演算量を減少させる、換言すれば、より低能力のマイクロコンピュータを用いてベルトシステムの耐久性を予測することができる。また、コントローラ４０ｂ２４のプーリ推力をシミュレーション精度の尺度として用いることができる。
【０１１７】
また、図６に示す如く、プーリ１４，１６の回転軸線に対する倒れがプーリモデルに剛性でモデル化されると共に、その剛性がプーリ１４，１６の面１４ｄ，１６ｄにおけるブロック２２の半径の関数で定義されている如く構成したので、上記した効果に加え、ベルトシステムの応答（リング張力、ブロック間接触荷重、などなど）に多大な影響を持つプーリ面の傾斜倒れをシミュレーションに反映させることができ、シミュレーションにおいてベルトシステムの応答（内部荷重）を精度良く算出することができ、耐久性などの予測精度を向上させることができる。
【０１１８】
さらに、前記マルチボディ・シミュレーションモデルに作用する力をベクトル表現を用いて視覚化する視覚化手段（合力ベクトル算出ユニット４０ｂ３４）を備える如く構成したので、上記した効果に加え、ベルトシステムにおける力（荷重）のバランスなどについて一層良く把握することができる。
【０１１９】
尚、この実施例に係るＣＶＴのコンピュータ・シミュレータは図示の構造のＣＶＴ以外にも、類似する構造を備えるものであれば、適用可能なものである。
【図面の簡単な説明】
【０１２０】
【図１】この発明の第１実施例に係るＣＶＴのコンピュータ・シミュレータが適用されるＣＶＴ(無段変速機)を全体的に示す説明断面図である。
【図２】図１に示すベルトを構成するブロックとリングを撮影して得た説明図である。
【図３】図２に示すＣＶＴのブロックの１つを模式的に示す説明図である。
【図４】図１に示すＣＶＴのコンピュータ・シミュレータ構成を機能的に示すと共に、ＣＶＴを開発する設計プロセスを全体的に示すブロック図である。
【図５】図４に示すコンピュータ・シミュレータの中のシステム・マルチボディ・シミュレーションユニットで使用される、ベルトシステムのマルチボディ・シミュレーションモデルを示す説明図である。
【図６】図４に示すシステム・マルチボディ・シミュレーションユニットの構成を、図５に示すマルチボディ・シミュレーションモデルを構成する個々のモデルの相互関係を含めて示すブロック図である。
【図７】図２および図３に示すＣＶＴのブロックの２個の間の、リング曲げを算出するための関係を示す説明図である。
【図８】ブロックやリングの形状の関数である、リング曲げ力（荷重）の不感帯領域（包絡線）を示す説明図である。
【図９】図８に示すリング曲げ力の不感帯領域を規定するブロックとリング位置関係の種々の分岐点を示す１群の説明図である。
【図１０】図６に示す、プーリ推力の調整を通じて速度比を制御する推力コントローラの動作を示すブロック図である。
【図１１】図１に示すプーリに作用するプーリ倒れ剛性を示す説明図である。
【図１２】図１１に示すプーリ倒れ剛性の算出を示すブロック図である。
【図１３】図５に示すマルチボディ・シミュレーションモデルにおいてプーリとブロックに作用する様々な荷重の合力ベクトルを示すグラフ図である。
【図１４】同様に、図５に示すマルチボディ・シミュレーションモデルにおいてプーリとブロックに作用する様々な荷重の合力ベクトルを示すグラフ図である。
【図１５】同様に、図５に示すマルチボディ・シミュレーションモデルにおいてプーリとブロックに作用する様々な荷重の合力ベクトルを示すグラフ図である。
【図１６】同様に、図５に示すマルチボディ・シミュレーションモデルにおいてプーリとブロックに作用する様々な荷重の合力ベクトルを示すグラフ図である。
【符号の説明】
【０１２１】
１０  ＣＶＴ（無段変速機）、１２  ベルト、１４  プーリ（駆動プーリ）、１６  プーリ（従動プーリ）、２２  ブロック、２２ｃ  サドル、２２ｆ  間隙、２４  リング、４０  コンピュータ・シミュレータ、４０ａ  構成部品ＦＥ解析ユニット、４０ｂ  システム・マルチボディ・シミュレーション（ＭＢＳ）ユニット、４０ｂ２４  推力コントローラ（コントローラ）、４０ｃ  システム非線形ＦＥ解析ユニット、４０ｄ  耐久性解析ユニット、５０  製品設計ユニット、５２  試作品物理テストユニット
【図１】
0004700373.tif 000006
【図３】
0004700373.tif 000007
【図４】
0004700373.tif 000008
【図６】
0004700373.tif 000009
【図７】
0004700373.tif 000010
【図８】
0004700373.tif 000011
【図９】
0004700373.tif 000012
【図１０】
0004700373.tif 000013
【図１１】
0004700373.tif 000014
【図１２】
0004700373.tif 000015
【図１３】
0004700373.tif 000016
【図１４】
0004700373.tif 000017
【図１５】
0004700373.tif 000018
【図１６】
0004700373.tif 000019
【図２】
0004700373.tif 000020
【図５】
0004700373.tif 000021